(57)【要約】【目的】  従来からある装置との再生互換性に配慮しつつコンテンツデータに対する種々の趣向等に応じたインデックス情報をユーザに提供する。【構成】  コントローラは、フォーマット済みの光ディスクか否かを判断し（Ｓ１）、フォーマット済みでなければその光ディスクの記録領域のリードイン領域を記録してフォーマットを行い（Ｓ２）、光ディスクのコンテンツ領域にコンテンツデータを記録し、同時に記録するコンテンツデータからインデックス情報に利用できるデータを別に記憶していく（Ｓ３）。記録終了指示があったら、インデックス情報の作成処理をし（Ｓ６）、コンテンツデータやインデックス情報を他の装置でも認識できるようにファイルシステムを記録し（Ｓ８）し、アンカーポイントを記録し、テンポラリリードアウト領域を記録し、この処理を終了する。【選択図】        図６
2005093010.tif 000002
【特許請求の範囲】
【請求項１】
記録媒体に時系列のコンテンツデータを記録する手段と、前記時系列のコンテンツデータに対して該コンテンツデータの中の一部を有するインデックス情報を生成するインデックス情報生成手段と、該インデックス情報生成手段によって生成されたインデックス情報を前記コンテンツデータとは前記記録媒体上の異なる領域に記録する手段とを備えたことを特徴とする記録装置。
【請求項２】
請求項１記載の記録装置において、前記異なる領域は、前記記録媒体上で前記コンテンツデータを記録する領域の直前又は直後の少なくとも一方の領域であることを特徴とする記録装置。
【請求項３】
請求項１記載の記録装置において、前記異なる領域は、前記記録媒体上でユーザ記録可能領域の最前部又は最後部の少なくとも一方の領域であることを特徴とする記録装置。
【請求項４】
記録媒体に時系列のコンテンツデータを記録する手段と、前記時系列のコンテンツデータに対して該コンテンツデータの中の一部を有するインデックス情報を生成するインデックス情報生成手段と、該インデックス情報生成手段によって生成されたインデックス情報を前記記録媒体とは異なる記録媒体に記録する手段とを備えたことを特徴とする記録装置。
【請求項５】
請求項１乃至４のいずれか一項に記載の記録装置において、前記インデックス情報生成手段は、前記時系列のコンテンツデータに対して該コンテンツデータの中の一部を有するインデックス情報を前記コンテンツデータの記録完了後にまとめて生成する手段であることを特徴とする記録装置。
【請求項６】
請求項１乃至４のいずれか一項に記載の記録装置において、前記インデックス情報生成手段は、前記時系列のコンテンツデータに対して該コンテンツデータの中の一部を有するインデックス情報を前記コンテンツデータ記録中も逐次生成する手段であることを特徴とする記録装置。
【請求項７】
請求項１乃至６のいずれか一項に記載の記録装置において、前記インデックス情報を前記コンテンツデータを記録した領域と重ならない領域に移動させる手段を設けたことを特徴とする記録装置。
【請求項８】
記録媒体に時系列のコンテンツデータを記録する工程と、前記時系列のコンテンツデータに対して該コンテンツデータの中の一部を有するインデックス情報を生成するインデックス情報生成工程と、該インデックス情報生成工程によって生成されたインデックス情報を前記コンテンツデータとは前記記録媒体上の異なる領域に記録する工程とからなることを特徴とする記録方法。
【請求項９】
請求項８記載の記録方法において、前記異なる領域は、前記記録媒体上で前記コンテンツデータを記録する領域の直前又は直後の少なくとも一方の領域であることを特徴とする記録方法。
【請求項１０】
請求項８記載の記録方法において、前記異なる領域は、前記記録媒体上でユーザ記録可能領域の最前部又は最後部の少なくとも一方の領域であることを特徴とする記録方法。
【請求項１１】
記録媒体に時系列のコンテンツデータを記録する工程と、前記時系列のコンテンツデータに対して該コンテンツデータの中の一部を有するインデックス情報を生成するインデックス情報生成工程と、該インデックス情報生成工程によって生成されたインデックス情報を前記記録媒体とは異なる記録媒体に記録する工程とからなることを特徴とする記録方法。
【請求項１２】
請求項８乃至１１のいずれか一項に記載の記録方法において、前記インデックス情報生成工程は、前記時系列のコンテンツデータに対して該コンテンツデータの中の一部を有するインデックス情報を前記コンテンツデータの記録完了後にまとめて生成する工程であることを特徴とする記録方法。
【請求項１３】
請求項８乃至１１のいずれか一項に記載の記録方法において、前記インデックス情報生成工程は、前記時系列のコンテンツデータに対して該コンテンツデータの中の一部を有するインデックス情報を前記コンテンツデータ記録中も逐次生成する工程であることを特徴とする記録方法。
【請求項１４】
請求項８乃至１３のいずれか一項に記載の記録方法において、前記インデックス情報を前記コンテンツデータを記録した領域と重ならない領域に移動させる工程を設けたことを特徴とする記録方法。
【請求項１５】
コンピュータに、記録媒体に時系列のコンテンツデータを記録する手順と、前記時系列のコンテンツデータに対して該コンテンツデータの中の一部を有するインデックス情報を生成するインデックス情報生成手順と、該インデックス情報生成手順によって生成されたインデックス情報を前記コンテンツデータとは前記記録媒体上の異なる領域に記録する手順を実行させるためのプログラム。
【請求項１６】
請求項１５記載のプログラムにおいて、前記異なる領域は、前記記録媒体上で前記コンテンツデータを記録する領域の直前又は直後の少なくとも一方の領域であるプログラム。
【請求項１７】
請求項１５記載のプログラムにおいて、前記異なる領域は、前記記録媒体上でユーザ記録可能領域の最前部又は最後部の少なくとも一方の領域であるプログラム。
【請求項１８】
コンピュータに、記録媒体に時系列のコンテンツデータを記録する手順と、前記時系列のコンテンツデータに対して該コンテンツデータの中の一部を有するインデックス情報を生成するインデックス情報生成手順と、該インデックス情報生成手順によって生成されたインデックス情報を前記記録媒体とは異なる記録媒体に記録する手順を実行させるためのプログラム。
【請求項１９】
請求項１５乃至１８のいずれか一項に記載のプログラムにおいて、前記インデックス情報生成手順は、前記時系列のコンテンツデータに対して該コンテンツデータの中の一部を有するインデックス情報を前記コンテンツデータの記録完了後にまとめて生成する手順であるプログラム。
【請求項２０】
請求項１５乃至１８のいずれか一項に記載のプログラムにおいて、前記インデックス情報生成手順は、前記時系列のコンテンツデータに対して該コンテンツデータの中の一部を有するインデックス情報を前記コンテンツデータ記録中も逐次生成する手順であるプログラム。
【請求項２１】
請求項１５乃至２０のいずれか一項に記載のプログラムにおいて、前記インデックス情報を前記コンテンツデータを記録した領域と重ならない領域に移動させる手順を有するプログラム。
【発明の詳細な説明】
【技術分野】
【０００１】
この発明は、光ディスク（ＣＤ−ＲＯＭ／ＣＤ−Ｒ／ＣＤ−ＲＷ・ＤＶＤ−ＲＯＭ／Ｒ／ＲＷ／ＲＡＭ・ＤＶＤ＋ＲＷ／＋Ｒ），光磁気ディスク（ＭＯ・ＭＤ），磁気ディスク（ＨＤ・ＦＤ），メモリカード（不揮発ＲＡＭ・Ｆｌａｓｈ  ＲＯＭ）等の記録媒体に動画像データ，静止画データ，まとまった量のテキストデータ（ログ）などの時系列のコンテンツデータとそのコンテンツデータに関するインデックス情報を記録するコンピュータシステムの中での光ディスクドライブ，インデックス情報を作成する装置，映像記録装置等の記録装置と、その記録方法とプログラムとに関する。
【背景技術】
【０００２】
図９はリニアなアドレッシングを行う記録媒体におけるレイアウト例を示す図である。
記録媒体は一定の大きさの記録再生領域セクタによって分けられているが、同図はそれよりも大きくアプリケーションレベルでの領域のレイアウトを示している。
図９の（ａ）に示すように、記録媒体の記録領域４０の先頭はリードイン（Ｌｅａｄ−Ｉｎ）領域４１と呼ばれ、記録媒体そのものに関する情報や、その後のいくつかある記録単位のレイアウト情報など記録媒体全般に対する情報が記録される。
記録装置に記録媒体がマウントされると、まずリードイン領域４１から読み出しが始まる。その後から実際にユーザが記録可能なユーザ記録可能領域４２であって、ユーザが任意のデータが記録できるのはこの領域だけである。
【０００３】
ユーザ記録可能領域４２の先頭セクタはゼロ番地となっていて、ＬＢＡ：０と表す。ユーザ記録可能領域４２の特定の番地は、アンカーポイント（Ａｎｃｈｏｒ  Ｐｏｉｎｔ）と言うオペレーティングシステム（ＯＳ）などのファイルシステム毎に固定的に決まっている場所であり、ユーザデータはまずここから読み出すという印となるセクタである。アンカーポイントは複数箇所ある場合もある。
ファイルシステム領域４３は、個々のファイルやディレクトリの記録されている場所や大きさ・時間・属性などを定義している領域である。その後にやっと主なアプリケーションデータの入るコンテンツ領域４４がある。
その後、コンテンツデータ以外のデータを収めるその他データ領域４５が存在しても良い。このその他データ領域は任意で無くても良い。
【０００４】
最後に、リードアウト（Ｌｅａｄ−Ｏｕｔ）領域４６と呼ばれる記録済み領域があって、これが記録媒体の終了限界近くまで続く。そのリードアウト領域４６で、情報（データ）の読み書きを行う光ピックアップが飛び越してしまうのを防ぐようにしている。
なお、図９に示したレイアウトは、実際の記録量比率を反映していない。圧倒的にコンテンツデータで占められていることが多い。このように各機能を持った領域は連続していること前提とされていて、図９の（ｂ）に示すように、未記録領域４７があると再生専用装置での再生ができずに互換性が低下する。
【０００５】
上述のような記録媒体に格納される大容量データとされてきた映像・音声・地図・百科事典などのコンテンツデータには、関係するインデックス情報（インデックスデータ）が作成されることが多く、かかるインデックスデータとしては、映画などの動画像コンテンツデータとあわせて記録されるチャプタ画像データなどがある。
このようなチャプタ画像データは、製作者あるいは装置による自動生成によって製作・選択され、動画像コンテンツの一部として同一のＣＤ／ＤＶＤなど（Ｃｏｍｐａｃｔ  Ｄｉｓｃ  ／  Ｄｉｇｉｔａｌ  Ｖｅｒｓａｔｉｌｅ  Ｄｉｓｃ）のディスクに記録されている。上記のようなチャプタ画像データとしては、映画の重要なシーンに対応する画像データが製作者によって選ばれており、ユーザはいずれかのチャプタ画像を選択することでその画像を参照したり、その画像シーンからコンテンツデータを再生させたりするといったようにインデックス情報として利用することができる。
【０００６】
しかしながら、上記のような製作者が選択したシーン、つまりコンテンツの一部分に対応する画像のみをインデックス情報として含ませる態様では、趣味も嗜好も異なる多数のユーザの多くに対して有効なインデックス情報を提供しているとは言い難い。
また、画像情報をインデックス情報とする場合には、インデックス情報となっている画像情報のみを連続再生することで、当該コンテンツ全体を短時間で見渡せるようにすることができ、このような再生を可能とする技術が提案されている（例えば、特許文献１参照）。この技術では、ユーザが指定した部分（時間等）の画像のみを再生しており、それによってユーザがコンテンツ全体の内容を短時間で見渡せることができる。
【特許文献１】特開２００１−７６４７４
【発明の開示】
【発明が解決しようとする課題】
【０００７】
しかしながら、上述した従来の技術では、ユーザが再生したい部分等を指定するようにしているので、各ユーザが所望する部分のインデックス情報（上記従来の技術では画像情報）を知ることができるが、ユーザはどの部分を再生するかを指定しなくてはならない。
そのため、そのコンテンツの内容を知っていなければ有効な指定はなしえず、内容をダイジェスト的にユーザに伝えるためのインデックス情報提供という機能を果たせないという問題があった。
すなわち、ユーザ等がコンテンツに関するインデックス情報として取得したいと思うコンテンツの部分はそれぞれ異なっている可能性があり、上記従来の技術に記載された技術やチャプタ画像を利用する技術などでは、そのような種々の要求に応じたインデックス情報の提供をなし得なかった。
【０００８】
また、従来の技術は、複数の時間条件設定が可能な再生装置であって、ユーザが自ら行う記録に関しては考慮されていない。予めオーサリングされている記録媒体に対してのみ有効である。
この発明は上記の点に鑑みてなされたものであり、従来からある装置との再生互換性に配慮しつつコンテンツデータに対する種々の趣向等に応じたインデックス情報をユーザに提供することを目的とする。
【課題を解決するための手段】
【０００９】
この発明は上記の目的を達成するため、次の（１）〜（７）の記録装置を提供する。
（１）記録媒体に時系列のコンテンツデータを記録する手段と、上記時系列のコンテンツデータに対してそのコンテンツデータの中の一部を有するインデックス情報を生成するインデックス情報生成手段と、そのインデックス情報生成手段によって生成されたインデックス情報を上記コンテンツデータとは上記記録媒体上の異なる領域に記録する手段を備えた記録装置。
（２）上記（１）の記録装置において、上記異なる領域は、上記記録媒体上で上記コンテンツデータを記録する領域の直前又は直後の少なくとも一方の領域である記録装置。
（３）上記（１）の記録装置において、上記異なる領域は、上記記録媒体上でユーザ記録可能領域の最前部又は最後部の少なくとも一方の領域である記録装置。
【００１０】
（４）記録媒体に時系列のコンテンツデータを記録する手段と、上記時系列のコンテンツデータに対してそのコンテンツデータの中の一部を有するインデックス情報を生成するインデックス情報生成手段と、そのインデックス情報生成手段によって生成されたインデックス情報を上記記録媒体とは異なる記録媒体に記録する手段を備えた記録装置。
（５）上記（１）乃至（４）のいずれかの記録装置において、上記インデックス情報生成手段は、上記時系列のコンテンツデータに対してそのコンテンツデータの中の一部を有するインデックス情報を上記コンテンツデータの記録完了後にまとめて生成する手段である記録装置。
【００１１】
（６）上記（１）乃至（４）のいずれかの記録装置において、上記インデックス情報生成手段は、上記時系列のコンテンツデータに対してそのコンテンツデータの中の一部を有するインデックス情報を上記コンテンツデータ記録中も逐次生成する手段である記録装置。
（７）上記（１）乃至（６）のいずれかの記録装置において、上記インデックス情報を上記コンテンツデータを記録した領域と重ならない領域に移動させる手段を設けた記録装置。
【００１２】
また、次の（８）〜（１４）の記録方法も提供する。
（８）記録媒体に時系列のコンテンツデータを記録する工程と、上記時系列のコンテンツデータに対してそのコンテンツデータの中の一部を有するインデックス情報を生成するインデックス情報生成工程と、そのインデックス情報生成工程によって生成されたインデックス情報を上記コンテンツデータとは上記記録媒体上の異なる領域に記録する工程とからなる記録方法。
（９）上記（８）の記録方法において、上記異なる領域は、上記記録媒体上で上記コンテンツデータを記録する領域の直前又は直後の少なくとも一方の領域である。
（１０）上記（８）の記録方法において、上記異なる領域は、上記記録媒体上でユーザ記録可能領域の最前部又は最後部の少なくとも一方の領域である記録方法。
【００１３】
（１１）記録媒体に時系列のコンテンツデータを記録する工程と、上記時系列のコンテンツデータに対してそのコンテンツデータの中の一部を有するインデックス情報を生成するインデックス情報生成工程と、そのインデックス情報生成工程によって生成されたインデックス情報を上記記録媒体とは異なる記録媒体に記録する工程とからなる記録方法。
（１２）上記（８）乃至（１１）のいずれかの記録方法において、上記インデックス情報生成工程は、上記時系列のコンテンツデータに対してそのコンテンツデータの中の一部を有するインデックス情報を上記コンテンツデータの記録完了後にまとめて生成する工程である記録方法。
【００１４】
（１３）上記（８）乃至（１１）のいずれかの記録方法において、上記インデックス情報生成工程は、上記時系列のコンテンツデータに対してそのコンテンツデータの中の一部を有するインデックス情報を上記コンテンツデータ記録中も逐次生成する工程である記録方法。
（１４）上記（８）乃至（１３）のいずれかの記録方法において、上記インデックス情報を上記コンテンツデータを記録した領域と重ならない領域に移動させる工程を設けた記録方法。
【００１５】
さらに、次の（１５）〜（２１）のプログラムも提供する。
（１５）コンピュータに、記録媒体に時系列のコンテンツデータを記録する手順と、上記時系列のコンテンツデータに対してそのコンテンツデータの中の一部を有するインデックス情報を生成するインデックス情報生成手順と、そのインデックス情報生成手順によって生成されたインデックス情報を上記コンテンツデータとは上記記録媒体上の異なる領域に記録する手順を実行させるためのプログラム。
（１６）上記（１５）のプログラムにおいて、上記異なる領域は、上記記録媒体上で上記コンテンツデータを記録する領域の直前又は直後の少なくとも一方の領域であるプログラム。
（１７）上記（１５）のプログラムにおいて、上記異なる領域は、上記記録媒体上でユーザ記録可能領域の最前部又は最後部の少なくとも一方の領域であるプログラム。
【００１６】
（１８）コンピュータに、記録媒体に時系列のコンテンツデータを記録する手順と、上記時系列のコンテンツデータに対してそのコンテンツデータの中の一部を有するインデックス情報を生成するインデックス情報生成手順と、そのインデックス情報生成手順によって生成されたインデックス情報を上記記録媒体とは異なる記録媒体に記録する手順を実行させるためのプログラム。
（１９）上記（１５）乃至（１８）のいずれかのプログラムにおいて、上記インデックス情報生成手順は、上記時系列のコンテンツデータに対してそのコンテンツデータの中の一部を有するインデックス情報を上記コンテンツデータの記録完了後にまとめて生成する手順であるプログラム。
【００１７】
（２０）上記（１５）乃至（１８）のいずれかのプログラムにおいて、上記インデックス情報生成手順は、上記時系列のコンテンツデータに対してそのコンテンツデータの中の一部を有するインデックス情報を上記コンテンツデータ記録中も逐次生成する手順であるプログラム。
（２１）上記（１５）乃至（２０）のいずれかのプログラムにおいて、上記インデックス情報を上記コンテンツデータを記録した領域と重ならない領域に移動させる手順を有するプログラム。
【発明の効果】
【００１８】
この発明による記録装置と記録方法とプログラムは、従来からある装置との再生互換性に配慮しつつコンテンツデータに対する種々の趣向等に応じたインデックス情報をユーザに提供することができる。
【発明を実施するための最良の形態】
【００１９】
以下、この発明を実施するための最良の形態を図面に基づいて具体的に説明する。
コンテンツデータを記録するときに、従来のインデックスとは別にユーザが定義可能なインデックスも記録できるようにした。ユーザは本来、インデックスのタイプや時間間隔・数などをかなり自由に定義できる。このようなインデックスは、タイマなどと連動して画像や音声を保存することによって行うことができる。
また、従来の記録装置や再生装置では、ＤＶＤ−ビデオ（Ｖｉｄｅｏ）やビデオ（Ｖｉｄｅｏ）ＣＤに見られるように、コンテンツデータを格納する領域が連続していることが前提に考えられてきた。それぞれの規格内で記録再生が行われている場合はそれで構わないが、規定されていないユーザの趣向に応じたインデックスデータを記録できるようにする場合、その中には互換性を保ったままユーザ定義による新たなインデックス情報を付加するのはかなり困難であると思われる。
【００２０】
そこで、それらのコンテンツデータとは別にインデックスデータを記録する領域を別に定義し、そこにインデックスデータを保存するように提案する。また、コンテンツデータの前後にあることによってコンテンツデータとインデックスデータが連続にアクセスできるようにし、また、アクセスが分散して検索性能などが低下しないようにした。さらに、コンテンツデータが記録媒体の前方領域または後方領域に集め、コンテンツの追記を行っても影響が最小限に抑えられるようにした。また、インデックスの作成方法も提案し、インデックス領域を移動可能とした。
【００２１】
以下、記録媒体にリニアにアドレスされる光ディスク記録媒体、装置に光ディスクドライブを中心とした実施例を図を用いて説明する。
図１は、この発明の一実施形態である光ディスク記録装置を用いたシステムの構成を示すブロック図である。
上側の光ディスク記録装置１にはユーザビリティが良く簡単に利用できることが重視され、リモコンなどの入力装置２があり、チューナやネットワークインタフェースによりアンテナ，ＣＡＴＶ，インターネット等の他のメディアからの映像や音声のデータを受信して光ディスク７に記録できる。必須ではないがＣＲＴ，ＬＣＤ等の表示装置３があると入力にも便利である。
【００２２】
一方、下側の光ディスク記録装置４は、ホストコンピュータとなるコンピュータまたはパーソナルコンピュータ（ＰＣ）に内蔵され、それにはキーボードやマウス等の入力装置５で指示入力ができる。また、ＣＲＴ，ＬＣＤ等の表示装置６もある。こちらでは、より詳細な編集・検索操作が想定される。リモコンやキーボードマウスといったものは、インデックスデータの入力手段，選択手段にもなる。そして、チューナやネットワークインタフェースによりアンテナ，ＣＡＴＶ，インターネット等の他のメディアからの映像や音声のデータを受信して光ディスク７に記録できるし、それらの映像や音声のデータを編集して光ディスク７に記録できる。
【００２３】
どちらの光ディスク記録装置も装置全体はＡＴＡＰＩなどのインタフェースでホストコンピュータと接続されている。中段の編集記録装置８は、スタジオなどで用いられる専用装置などである。細かなオーサリングなどが行え、専門家が使うように設計されているものが多い。この実施形態の光ディスク装置によれば、これらの様々な場所や用途に応じた記録装置を提供できる。
【００２４】
図２は、この発明の一実施形態である光ディスク記録装置（光ディスクドライブ）の構成を示すブロック図である。
この光ディスクドライブは、上記光ディスク記録装置１，４に相当し、ＤＶＤ＋ＲＷディスク等のデータ記録及び再生が可能な光ディスク（記録媒体）７にデータを記録するＤＶＤ＋ＲＷドライブ等の記録装置であり、光ディスク７を回転させるスピンドルモータ１０と、そのスピンドルモータ１０の回転を制御する回転制御系部１３と、光ディスク７にデータ記録及び再生のためのレーザ光Ｌを照射する光ピックアップ１１を備えている。
【００２５】
また、その光ピックアップ１１によるレーザ光Ｌの発光駆動等の制御を行う光ピックアップ制御系部１５と、光ピックアップ１１を光ディスク７の半径方向に移動させる粗動モータ１２と、その粗動モータ１２の回転駆動制御を行う粗動モータ制御系部１４と、光ピックアップ１１からの再生信号と光ピックアップ１１への記録信号の入出力を制御する信号処理系部１６と、ＣＰＵ，レジスタ，ＲＡＭ等のマイクロコンピュータによって実現され、ＲＯＭ等の不揮発性メモリ１７にこの発明に係るプログラムも含む各種のプログラムを記憶し（各種の設定も記憶し）、ＣＰＵがそのプログラムの手順を実行することによってこの発明に係る記録方法を実行し、この発明に係る各手段の機能を実現するコントローラ１９を備えている。
【００２６】
さらに、光ディスク７に記録するデータ及び光ディスク７から再生したデータ等のデータを一時的に格納すると共に、コントローラ１９が各種の処理を実行する際にデータを一時的に記憶する領域として利用するバッファメモリ（キャッシュメモリ）１８と、外部に接続したホストコンピュータ２１とデータのやり取りをするための外部インタフェース２０も備えている。
【００２７】
この光ディスクドライブは、光ディスク７から読み出したデータをバッファメモリ１８に蓄えてホストコンピュータ２１へ転送する。また、ホストコンピュータ２１から送信されたデータをバッファメモリ１８を経由して光ディスク７の種類に応じて変換して記録する。さらに、コントローラ１９により記録の開始，中断，再開，光ディスクのセットや取り出しなどの制御を行う。ホストコンピュータ２１とは外部インタフェース２０を介して通信する。その通信はホストコンピュータ２１からコマンドを発行し、光ディスクドライブがそれに答えることで行う。ホストコンピュータ２１側にデジタルコントローラを統合した場合は、アナログインタフェースで接続することになる。
【００２８】
ホストコンピュータ２１側では、Ａ／Ｄ変換部２２による外部からの映像信号のＡＤ変換（アンテナやネットからの入力に相当）、エンコーダ・デコーダ（Ｅｎｃｏｄｅｒ・Ｄｅｃｏｄｅｒ）ふえによる圧縮・展開（ＣＰＵが高速な代替え可能）、Ｄ／Ａ変換部２３においてＰＡＬ／ＮＴＳＣビデオエンコーダによるＤＡ変換（表示装置への出力に相当）などを行っている。
また、ＲＴＣ（リアルタイムクロック）・タイマ（Ｔｉｍｅｒ）２８を付け、記録時間を計測したり、実時刻を明らかにすることで、インデックス生成のトリガーやインデックスの中身とすることができる。
さらに、ＡＴＡ／ＡＴＡＰＩインタフェース（Ｉ／Ｆ）２４を備え、光ディスクドライブや図示を省略したハードディスクドライブ（ＨＤＤ）との通信を行う。
【００２９】
また、ＣＰＵ２９，ＲＯＭ２６，ＲＡＭ２７を持ち、ＲＡＭ２７はワークメモリや映像音声データのバッファに使用され、ＲＯＭ２６にはホストコンピュータ全体をコントロールするプログラムやオペレーティングシステム（ＯＳ）などが格納される。ＲＯＭ２７はマスクＲＯＭでもよいがまとめて書き換えができる不揮発性であるフラッシュ（Ｆｌｕｓｈ）ＲＯＭにすると、バージョンアップ時の手間を軽減できる。
さらに、メモリカードコントローラ（Ｍｅｍｏｒｙ  Ｃａｒｄ  Ｃｏｎｔｒｏｌｌｅｒ）３２などを備え、メモリカードスロット３０にメモリカード（Ｍｅｍｏｒｙ  Ｃａｒｄ）３１を挿着してデジタルカメラ画像などの入力元としたり、インデックスデータなどの記録先とすることもできる。メモリカード３１は着脱式のフラッシュＲＯＭで構成されていることが多く、ＰＣのみならず様々なデバイスとのデジタルデータの受け渡しにも利用できる。
【００３０】
ここで、インデックス情報作成手段は、不揮発性メモリ１７に格納したこの発明に係るプログラムの手順を実行することによってコントローラ１９によって実現する機能であり、ホストコンピュータ２１のＲＯＭ２６にこの発明に係るプログラムを格納し、ＣＰＵ２９がそのプログラムの手順を実行することによって実現するようにしてもよい。
例えば、録画が開始されると、ホストコンピュータ２１側から作成した映像と決められたチャプタ画像などのデータを含んだ書込み命令を処理するが、それとは別に、インデックス情報として、録画しようとするコンテンツ映像のあるフレームや記録された時刻（例えばグリニッジ標準時と開始からの経過時間）をデータとして生成し、録画中または後に適当なタイミングで光ディスク７に記録する。
【００３１】
次に、この光ディスクドライブで光ディスクにコンテンツデータとインデックス情報を記録するときのフォーマットについて説明する。
図３は、光ディスクのコンテンツ領域の前後にインデックス領域を設けた場合のフォーマットを示す図である。
同図の（ａ）に示すように、記録媒体の記録領域４０の先頭はリードイン（Ｌｅａｄ−Ｉｎ）領域４１であり、光ディスクそのものに関する情報や、その後のいくつかある記録単位のレイアウト情報などの光ディスク全般に対する情報が記録される。その後にユーザが記録可能なユーザ記録可能領域４２がある。
ユーザ記録可能領域４２の先頭セクタはゼロ番地となっており、ＬＢＡ：０と表す。ユーザ記録可能領域４２の特定の番地は、アンカーポイント（Ａｎｃｈｏｒ  Ｐｏｉｎｔ）と言うオペレーティングシステム（ＯＳ）などのファイルシステム毎に固定的に決まっている場所であり、ユーザデータはまずここから読み出すという印となるセクタである。
【００３２】
ユーザ記録可能領域４２の先頭に、個々のファイルやディレクトリの記録されている場所や大きさ・時間・属性などを定義している領域であるファイルシステム領域４３があり、アンカーポイント、引き続いて時系列のコンテンツデータ本体を格納するコンテンツ領域４４，時系列のコンテンツデータに対してそのコンテンツデータの中の一部を有するインデックス情報を格納するインデックス領域４８，アンカーポイントがある。
最後に、リードアウト（Ｌｅａｄ−Ｏｕｔ）領域４６と呼ばれる記録済み領域があって、これがデータの読み書きを行う光ピックアップが飛び越してしまうのを防ぐようにしている。
【００３３】
図３の（ａ）に示すように、コンテンツデータの記録が完結している場合には、インデックス領域４８をコンテンツ領域４４の直前に設ける。また、コンテンツデータの記録が完結していればよいが、図３の（ｂ）に示すように、コンテンツデータの追記が発生する場合もある。その場合、インデックス領域４８は移動、又は上書きしなければならないため、インデックス領域４８をコンテンツ領域４４の直後に設ける。これは書き換え型の光ディスクに限定される。
一方、図３の（ｃ）に示すように、インデックス領域４８をコンテンツ領域４４の直前（前方）に配置すれば領域の移動は発生しない。しかし、インデックス領域４８のサイズが予め固定されてしまうので、ライトワンス型の光ディスクにも使い易いが、その場合不連続領域が出来てしまうため、互換性を高めるためには記録を完結させて、リードイン領域４１からリードアウト領域４６まで連続記録にする必要がある。
【００３４】
図４は、光ディスクのユーザ記録可能領域の最前部又は最後部にインデックス領域を設けた場合のフォーマットを示す図である。
同図の（ａ）に示すように、インデックス領域４８がユーザ記録可能領域４２の先頭（最前部）や最後（最後部）にあるため、位置がはっきりしているので検索しやすく、高レスポンスが期待できる。
図４の（ｂ）に示すように、最前部に置けば、図３の（ｃ）と同様に固定サイズになる。予め決まったサイズではあるが、十分な量を確保すれば豊富なインデックス情報にすることができる。
【００３５】
図４の（ｃ）は、ユーザ記録可能領域４２の末尾（最後部）にインデックス領域４８を作った場合である。この場合、図９に示したフォーマットに近くなるため、高い再生互換性が期待できる。さらに、コンテンツ領域４４もインデックス領域４８も双方が自由に領域を増やしていけるメリットがある。インデックス領域４８はマイナス方向に伸びることになるので、後からの検索で若干不利かもしれないが、若いアドレスほど新しいデータになるので、更新が頻繁にあるようなインデックス情報の場合は有利になる。
このようにするには、書き換え型の光ディスクを使って、最後までフォーマットしてランダムアクセスできるようにするのが最も良い。
【００３６】
例えば、ＤＶＤ＋ＲＷディスクやＣＤ−ＭＲＷディスクならバッググラウンドフォーマットが行えるので利便性が高まる。ライトワンス型の光ディスクでも可能ではあるが互換性が出るのは記録完了後になる。
このように、前後にインデックスを設けた場合はどちらが良いとは一概に言えないので選択できるようにする装置があっても良い。従来の再生装置などで想定していないインデックス領域が出現すると問題がある再生装置もあることが予想され、ユーザ毎に機能の有効無効も選択できると良い。
【００３７】
図５は、コンテンツデータを記録する光ディスクとは異なる光ディスク上にコンテンツデータのインデックス情報を格納するインデックス領域を設けた場合のフォーマットを示す図である。
図５の（ａ）に示すように、図９と同じレイアウトで記録できるインデックス情報は異なる光ディスク（図５の（ｂ））上のインデックス領域４８に記録される。この方式では、光ディスクドライブが複数、または、コンテンツの記録が終わった後に、光ディスクを入れ替えてからインデックス情報の記録を行うことが必要になるデメリットはあるが、再生専用光ディスクと全く同じレイアウトが取れるため、再生互換性を気にしなくて良い。主となる光ディスクとは別にメモリカードが使えるとこのような応用ができる。
【００３８】
図６は、この光ディスクドライブのコントローラにおけるコンテンツデータの記録が終わった後にインデックス情報の記録を行う動作を示すフローチャート図である。
コントローラ１９は、コンテンツデータの記録を開始するとき又は光ディスクが挿入されたとき、ステップ（図中「Ｓ」で示す）１でフォーマット（Ｆｏｒｍａｔ）済みの光ディスクか否かを判断し、フォーマット済みならステップ３へ進み、フォーマット済みでなければ、ステップ２でその光ディスクの記録領域のリードイン領域を記録してフォーマットを行い（ライトワンス型の光ディスクでは不要）、ステップ３へ進む。ステップ３で光ディスクのコンテンツ領域にコンテンツデータを記録し、ここで同時に記録するコンテンツデータからインデックス情報に利用できるデータを別に記憶していく。その記憶先はＲＡＭや影響の無い記録領域、別の記録媒体にするとよい。
【００３９】
ステップ４でストップ（ＳＴＯＰ）ボタンなどの記録終了指示があったか否かを判断し、記録終了指示がなければステップ３へ戻り、記録終了指示があったら、ステップ６へ進んでインデックス情報の作成処理に移り、ステップ５でステップ３の処理において記憶されたインデックス情報に利用できるデータからコンテンツデータの抜粋（さらにユーザ指示による加工処理）をし、インデックス情報を作成して、ステップ７でそのインデックス情報を光ディスクのインデックス領域に対して記録又は更新を行う。
【００４０】
すなわち、コンテンツデータの記録完了後にコンテンツデータに対してそのコンテンツデータの中の一部を有するインデックス情報をまとめて生成して記録する。
そして、ステップ８でコンテンツデータやインデックス情報を他の装置でも認識できるようにファイルシステムを記録（作成又は更新）し、ステップ９でアンカーポイントを記録（作成又は更新）し、ステップ１０で最後にＬＢＡ０から記録処理があった最大アドレスまでの領域で未記録になっている未記録部があれば記録し、連続領域とした上で、ステップ１１でテンポラリリードアウト領域（ＴＬＯ領域）を記録（作成又は更新）し、この処理を終了する。
【００４１】
上述の処理で、ＤＶＤ＋ＲＷディスクやＣＤ−ＭＲＷディスクでは記録可能領域に記録するリードアウト領域をテンポラリリードアウト（Ｔｅｍｐｏｒａｒｙ  Ｌｅａｄ−Ｏｕｔ）領域と呼ぶためそれにならった。この方式のメリットは、インデックス情報の記録が最後にまとめて行えるため、ユーザが加工できる余地がある点である。したがって、ユーザにとって意味のあるインデックスを作成しやすい。
【００４２】
図７は、この光ディスクドライブのコントローラにおけるコンテンツデータの記録と同時にインデックス情報の記録を行う動作を示すフローチャート図である。
コントローラ１９は、記録を開始するとき又は光ディスクが挿入されたとき、ステップ（図中「Ｓ」で示す）２１でフォーマット（Ｆｏｒｍａｔ）済みの光ディスクか否かを判断し、フォーマット済みならステップ２３へ進み、フォーマット済みでなければ、ステップ２２でリードイン領域を記録してフォーマットを行い（ライトワンス型の光ディスクでは不要）、ステップ２３へ進む。ステップ２３でコンテンツ領域にコンテンツデータを記録し、ここでコンテンツの記録を開始するのと並行してステップ２７でコンテンツデータからインデックス情報に利用できるデータを別に記憶していく。その記憶先はＲＡＭや影響の無い記録領域、別の記録媒体にするとよい。
【００４３】
ステップ２４へ進んでインデックス情報の作成処理に移り、ステップ２７でステップ２３の処理において記憶されたインデックス情報に利用できるデータからコンテンツデータの抜粋（さらにユーザ指示による加工処理）をし、インデックス情報を作成して、ステップ２５でそのインデックス情報を光ディスクのインデックス領域に対して記録又は更新を行う。
すなわち、コンテンツデータの記録中もコンテンツデータに対してそのコンテンツデータの中の一部を有するインデックス情報を逐次作成して記録する。
なお、ハードディスク等の記録速度とシーク速度が極めて速い場合はインデックス情報の作成と記録をほぼ同時に行っても良いだろうが、光ディスクなどの交換可能媒体だと比較的記録速度やシーク速度は遅いので、ある程度まとめてから記録しないと間に合わないので、インデックス情報を逐次作成してある程度まとめてから記録するとよい。
【００４４】
ステップ２６でストップ（ＳＴＯＰ）ボタンなどの記録終了指示があったか否かを判断し、記録終了指示がなければステップ２３へ戻り、記録終了指示があったら、ステップ２８でコンテンツデータやインデックス情報を他の装置でも認識できるようにファイルシステムを記録（作成又は更新）し、ステップ２９でアンカーポイントを記録（作成又は更新）し、ステップ３０で最後にＬＢＡ０から記録処理があった最大アドレスまでの領域で未記録になっている未記録部があれば記録し、連続領域とした上で、ステップ３１でテンポラリリードアウト領域（ＴＬＯ領域）を記録（作成又は更新）し、この処理を終了する。
この方式のメリットは、終了指示をすれば既にインデックス情報の記録を完成できる点であり、指示から実際に光ディスクを取り出せる時間を短くできるメリットがある。その為、時間や時刻に依存したインデックス情報などを記録するのに適する。早見やダイジェストといったインデックス情報が考えられる。
【００４５】
図８は、この光ディスクドライブのコントローラにおけるインデックス情報の移動の処理を示すフローチャート図である。
コントローラ１９は、ステップ（図中「Ｓ」で示す）４１でフォーマット（Ｆｏｒｍａｔ）済みの光ディスクか否かを判断し、フォーマット済みでなければ、ステップ４９へ進んでエラー処理し、この処理を終了する。
ステップ４１の判断でフォーマット済みなら、ステップ４２でインデックス情報を探索し、ステップ４３でインデックス情報を発見したか否かを判断し、発見しなければ、ステップ４９へ進んでエラー処理し、この処理を終了する。
【００４６】
ステップ４３の判断でインデックス情報を発見したら、ステップ４４でインデックス情報を複製し、ステップ４５でインデックス情報を更新し、ステップ４６で新しいインデックス情報の記録可能箇所を探索し、ステップ４７でインデックス情報の記録可能箇所を発見したか否かを判断し、発見しなければ、ステップ４９へ進んでエラー処理し、この処理を終了する。
ステップ４７の判断でインデックス情報の記録可能箇所を発見したら、ステップ４８でその記録可能箇所にインデックス情報を記録し、この処理を終了する。
【００４７】
すなわち、初めに既に記録処理が行われた光ディスクかどうかを調べる。そして、実際にインデックス情報を探索して存在を把握する。インデックス情報が見つかれば複製して、あればユーザや時刻による更新を行う。そして、新しいインデックス情報の記録可能個所を探し、可能ならその記録可能箇所に記録を行う。インデックス情報そのものや記録可能個所が見つからない場合には、エラーとして処理する。
このようにして、図３に基づいて説明した、インデックス領域を上書きしてしまうような場合や、初めに光ディスクの前方に固定サイズでインデックス情報を記録していたがより多くの記録領域が必要になったような場合、光ディスクの後方に移動する機能などが考えられる。
【００４８】
この光ディスクドライブによれば、コンテンツデータに関するインデックスを、コンテンツデータとは別に用意することにより、コンテンツや従来の規格に含まれない多様な検索やユーザに応じた要約を保存・利用することが可能になる。また、従来のようにコンテンツデータと不可分なものでなく、再利用や可読性に適したインデックス情報を作成できる。また、コンテンツデータに関するインデックス情報をコンテンツデータの格納される領域とは異なる領域に記録することにより、従来の機器との互換性を保ったままインデックス情報を付加することができる。
【００４９】
さらに、コンテンツデータに関するインデックス情報をコンテンツデータの格納される記録媒体とは異なる記録媒体に記録することにより、コンテンツデータを記録する媒体にインデックス情報を生成・記録することによる副作用を全く与えることなくインデックス情報を利用できる。他の記録媒体、例えば内蔵されているハードディスクやメモリカードなどに記録することで高速にインデクシングが行え、ユーザの利便性が向上する。
また、インデックス情報の記録を最後にまとめて行うようにすれば、コンテンツデータ記録後の後処理に時間が掛かることになるが、全体が決まってから作成に入るので、全体を網羅したインデックス情報の作成が可能になる。ユーザが任意にインデックス情報となる部分を選ぶことができる。
【００５０】
さらに、インデックス情報の記録をコンテンツデータの記録時と平行して行うようにすれば、コンテンツデータ記録中に行うためにユーザが任意の部分をインデックス情報とすることはできないが、処理をほぼ自動的に行うことが可能になる。例えば、一定の時間間隔でのインデクシングや決まった時刻でのインデクシング、音声信号などをトリガーにしたＣＭと本編の切り分けのインデクシング、規定を超えた早送り巻き戻しのインデックス作成、ダイジェスト化、などの機能をユーザに提供できる。
【００５１】
さらにまた、インデックス情報を移動可能にするので、コンテンツ領域の直後にインデックスがあった場合、そこに更にコンテンツデータを追記すると、コンテンツ領域は連続していなければならない制約があると、インデックス領域を上書きして書きつぶす必要がある場合がある。この機能によれば、インデックス情報を一時ＲＡＭなどに退避の上、コンテンツ領域の末尾に移動したり、記録可能領域の末尾に移動したりして消失を防ぐことができる。退避中や移動中に追記したコンテンツデータの内容を加えて変更を加えることができれば更に優れたものとなる。
また、上述の実施形態では、光ディスクドライブのコントローラ１９によってこの発明に係る機能を実現する場合を示したが、ホストコンピュータ２１のＣＰＵ２９によって光ディスクドライブを制御してこの発明に係る機能を実現することも同様にしてできる。
【産業上の利用可能性】
【００５２】
この発明による記録装置と記録方法とプログラムは、ビデオレコーダ，ビデオカムコーダ，デジタル編集装置，ノンリニア編集装置，デジタルカメラ，ゲームコンソール，ＤＶＤプレイヤ等においても適用することができる。
【図面の簡単な説明】
【００５３】
【図１】この発明の一実施形態である光ディスク記録装置を用いたシステムの構成を示すブロック図である。
【図２】この発明の一実施形態である光ディスク記録装置（光ディスクドライブ）の構成を示すブロック図である。
【図３】光ディスクのコンテンツ領域の前後にインデックス領域を設けた場合のフォーマットを示す図である。
【図４】光ディスクのユーザ記録可能領域の最前部又は最後部にインデックス領域を設けた場合のフォーマットを示す図である。
【図５】コンテンツデータを記録する光ディスクとは異なる光ディスク上にコンテンツデータのインデックス情報を格納するインデックス領域を設けた場合のフォーマットを示す図である。
【００５４】
【図６】図１に示す光ディスクドライブのコントローラにおけるコンテンツデータの記録が終わった後にインデックス情報の記録を行う動作を示すフローチャート図である。
【図７】図１に示す光ディスクドライブのコントローラにおけるコンテンツデータの記録と同時にインデックス情報の記録を行う動作を示すフローチャート図である。
【図８】図１に示す光ディスクドライブのコントローラにおけるインデックス情報の移動の処理を示すフローチャート図である。
【図９】リニアなアドレッシングを行う記録媒体におけるレイアウト例を示す図である。
【符号の説明】
【００５５】
１，４：光ディスク記録装置    ２，５：入力装置    ３，６：表示装置    ７：光ディスク    ８：編集記録装置    １０：スピンドルモータ    １１：光ピックアップ    １２：粗動モータ    １３：回転制御系部    １４：粗動モータ制御系部    １５：光ピックアップ制御系部    １６：信号処理系部    １７：不揮発性メモリ    １８：バッファメモリ    １９：コントローラ    ２０：外部インタフェース    ２１：ホストコンピュータ    ２２：Ａ／Ｄ変換部    ２３：Ｄ／Ａ変換部    ２４：ＡＴＡ／ＡＴＡＰＩインタフェース    ２５：エンコーダ・デコーダ    ２６：ＲＯＭ    ２７：ＲＡＭ    ２８：ＲＴＣ・タイマ    ２９：ＣＰＵ    ３０：メモリカードスロット    ３１：メモリカード    ３２：メモリカードコントローラ    ４０：記録領域    ４１：リードイン領域    ４２：ユーザ記録可能領域    ４３：ファイルシステム領域    ４４：コンテンツ領域    ４５：その他データ領域    ４６：リードアウト領域    ４７：未記録領域
【図１】
2005093010.tif 000003
【図２】
2005093010.tif 000004
【図３】
2005093010.tif 000005
【図４】
2005093010.tif 000006
【図５】
2005093010.tif 000007
【図６】
2005093010.tif 000008
【図７】
2005093010.tif 000009
【図８】
2005093010.tif 000010
【図９】
2005093010.tif 000011
【手続補正書】
【提出日】平成16年7月23日(2004.7.23)
【手続補正１】
【補正対象書類名】特許請求の範囲
【補正対象項目名】全文
【補正方法】変更
【補正の内容】
【特許請求の範囲】
【請求項１】
記録媒体に時系列のコンテンツデータを記録する手段と、前記時系列のコンテンツデータに対して該コンテンツデータの中の一部を有するインデックス情報を生成するインデックス情報生成手段と、該インデックス情報生成手段によって生成されたインデックス情報を、前記コンテンツデータとは前記記録媒体上の異なる領域であり、前記記録媒体上でユーザ記録可能領域の最前部又は最後部の少なくとも一方の領域にまとめて記録する手段とを備えたことを特徴とする記録装置。
【請求項２】
請求項１記載の記録装置において、前記インデックス情報生成手段は、前記時系列のコンテンツデータに対して該コンテンツデータの中の一部を有するインデックス情報を前記コンテンツデータの記録完了後にまとめて生成する手段であることを特徴とする記録装置。
【請求項３】
請求項１記載の記録装置において、前記インデックス情報生成手段は、前記時系列のコンテンツデータに対して該コンテンツデータの中の一部を有するインデックス情報を前記コンテンツデータ記録中も逐次生成する手段であることを特徴とする記録装置。
【請求項４】
記録媒体に時系列のコンテンツデータを記録する工程と、前記時系列のコンテンツデータに対して該コンテンツデータの中の一部を有するインデックス情報を生成するインデックス情報生成工程と、該インデックス情報生成工程によって生成されたインデックス情報を、前記コンテンツデータとは前記記録媒体上の異なる領域であり、前記記録媒体上でユーザ記録可能領域の最前部又は最後部の少なくとも一方の領域にまとめて記録する工程とからなることを特徴とする記録方法。
【請求項５】
請求項４記載の記録方法において、前記インデックス情報生成工程は、前記時系列のコンテンツデータに対して該コンテンツデータの中の一部を有するインデックス情報を前記コンテンツデータの記録完了後にまとめて生成する工程であることを特徴とする記録方法。
【請求項６】
請求項４記載の記録方法において、前記インデックス情報生成工程は、前記時系列のコンテンツデータに対して該コンテンツデータの中の一部を有するインデックス情報を前記コンテンツデータ記録中も逐次生成する工程であることを特徴とする記録方法。
【請求項７】
コンピュータに、記録媒体に時系列のコンテンツデータを記録する手順と、前記時系列のコンテンツデータに対して該コンテンツデータの中の一部を有するインデックス情報を生成するインデックス情報生成手順と、該インデックス情報生成手順によって生成されたインデックス情報を、前記コンテンツデータとは前記記録媒体上の異なる領域であり、前記記録媒体上でユーザ記録可能領域の最前部又は最後部の少なくとも一方の領域にまとめて記録する手順を実行させるためのプログラム。
【請求項８】
請求項７記載のプログラムにおいて、前記インデックス情報生成手順は、前記時系列のコンテンツデータに対して該コンテンツデータの中の一部を有するインデックス情報を前記コンテンツデータの記録完了後にまとめて生成する手順であるプログラム。
【請求項９】
請求項７記載のプログラムにおいて、前記インデックス情報生成手順は、前記時系列のコンテンツデータに対して該コンテンツデータの中の一部を有するインデックス情報を前記コンテンツデータ記録中も逐次生成する手順であるプログラム。
【手続補正２】
【補正対象書類名】明細書
【補正対象項目名】０００９
【補正方法】変更
【補正の内容】
【０００９】
この発明は上記の目的を達成するため、次の（１）〜（３）の記録装置を提供する。
（１）記録媒体に時系列のコンテンツデータを記録する手段と、上記時系列のコンテンツデータに対してそのコンテンツデータの中の一部を有するインデックス情報を生成するインデックス情報生成手段と、そのインデックス情報生成手段によって生成されたインデックス情報を、上記コンテンツデータとは上記記録媒体上の異なる領域であり、上記記録媒体上でユーザ記録可能領域の最前部又は最後部の少なくとも一方の領域にまとめて記録する手段を備えた記録装置。
【手続補正３】
【補正対象書類名】明細書
【補正対象項目名】００１０
【補正方法】変更
【補正の内容】
【００１０】
（２）上記（１）の記録装置において、上記インデックス情報生成手段は、上記時系列のコンテンツデータに対してそのコンテンツデータの中の一部を有するインデックス情報を上記コンテンツデータの記録完了後にまとめて生成する手段である記録装置。
【手続補正４】
【補正対象書類名】明細書
【補正対象項目名】００１１
【補正方法】変更
【補正の内容】
【００１１】
（３）上記（１）の記録装置において、上記インデックス情報生成手段は、上記時系列のコンテンツデータに対してそのコンテンツデータの中の一部を有するインデックス情報を上記コンテンツデータ記録中も逐次生成する手段である記録装置。
【手続補正５】
【補正対象書類名】明細書
【補正対象項目名】００１２
【補正方法】変更
【補正の内容】
【００１２】
また、次の（４）〜（６）の記録方法も提供する。
（４）記録媒体に時系列のコンテンツデータを記録する工程と、上記時系列のコンテンツデータに対してそのコンテンツデータの中の一部を有するインデックス情報を生成するインデックス情報生成工程と、そのインデックス情報生成工程によって生成されたインデックス情報を、上記コンテンツデータとは上記記録媒体上の異なる領域であり、上記記録媒体上でユーザ記録可能領域の最前部又は最後部の少なくとも一方の領域にまとめて記録する工程とからなる記録方法。
【手続補正６】
【補正対象書類名】明細書
【補正対象項目名】００１３
【補正方法】変更
【補正の内容】
【００１３】
（５）上記（４）の記録方法において、上記インデックス情報生成工程は、上記時系列のコンテンツデータに対してそのコンテンツデータの中の一部を有するインデックス情報を上記コンテンツデータの記録完了後にまとめて生成する工程である記録方法。
【手続補正７】
【補正対象書類名】明細書
【補正対象項目名】００１４
【補正方法】変更
【補正の内容】
【００１４】
（６）上記（４）の記録方法において、上記インデックス情報生成工程は、上記時系列のコンテンツデータに対してそのコンテンツデータの中の一部を有するインデックス情報を上記コンテンツデータ記録中も逐次生成する工程である記録方法。
【手続補正８】
【補正対象書類名】明細書
【補正対象項目名】００１５
【補正方法】変更
【補正の内容】
【００１５】
さらに、次の（７）〜（９）のプログラムも提供する。
（７）コンピュータに、記録媒体に時系列のコンテンツデータを記録する手順と、上記時系列のコンテンツデータに対してそのコンテンツデータの中の一部を有するインデックス情報を生成するインデックス情報生成手順と、そのインデックス情報生成手順によって生成されたインデックス情報を、上記コンテンツデータとは上記記録媒体上の異なる領域であり、上記記録媒体上でユーザ記録可能領域の最前部又は最後部の少なくとも一方の領域にまとめて記録する手順を実行させるためのプログラム。
【手続補正９】
【補正対象書類名】明細書
【補正対象項目名】００１６
【補正方法】変更
【補正の内容】
【００１６】
（８）上記（７）のプログラムにおいて、上記インデックス情報生成手順は、上記時系列のコンテンツデータに対してそのコンテンツデータの中の一部を有するインデックス情報を上記コンテンツデータの記録完了後にまとめて生成する手順であるプログラム。
【手続補正１０】
【補正対象書類名】明細書
【補正対象項目名】００１７
【補正方法】変更
【補正の内容】
【００１７】
（９）上記（７）のプログラムにおいて、上記インデックス情報生成手順は、上記時系列のコンテンツデータに対してそのコンテンツデータの中の一部を有するインデックス情報を上記コンテンツデータ記録中も逐次生成する手順であるプログラム。